(57)【要約】【課題】  計量キャップにおいて、布地の汚れた部分に洗剤を塗布して部分洗いするに際し、布地を傷めにくく部分洗い可能にすること。【解決手段】    筒状壁２１を備え、筒状壁２１の軸方向の一端に底壁２２が設けられ、筒状壁２１と底壁２２によって計量室Ｍが形成され、筒状壁２１の軸方向の他端に開口部２３が設けられた計量筒部２０を有してなる計量キャップ１００であって、洗浄体５０が計量筒部２０に転動可能に設けられるもの。【選択図】  図５
2018020792.tif 000002
【特許請求の範囲】
【請求項１】
筒状壁を備え、筒状壁の軸方向の一端に底壁が設けられ、筒状壁と底壁によって計量室が形成され、筒状壁の軸方向の他端に開口部が設けられた計量筒部を有してなる計量キャップであって、
洗浄体が計量筒部に転動可能に設けられる計量キャップ。
【請求項２】
前記計量筒部における筒状壁の軸方向の他端の一部を開口部とし、該他端の他の一部に吐出堰が設けられる請求項１に記載の計量キャップ。
【請求項３】
前記吐出堰が計量室に収容された液を外部に吐出するための吐出孔を備える請求項２に記載の計量キャップ。
【請求項４】
前記計量筒部は、計量室に収容された液が外部に向けて流通し得る通液縁部を備え、前記洗浄体が上記計量筒部の通液縁部に沿って配置される請求項１〜３のいずれかに記載の計量キャップ。
【請求項５】
前記洗浄体は、表面に凹凸部を備える請求項１〜４のいずれかに記載の計量キャップ。
【請求項６】
前記計量筒部が容器本体の口部に設けられた注出キャップに取付け可能にされ、
注出キャップは、計量筒部が取着される周壁部と、その周壁部の軸方向における容器本体の側に設けられる底壁部とを有し、容器本体の内容液を注出可能にする通液口が底壁部に設けられ、
計量筒部は、その開口部の側から注出キャップにおける周壁部の内部に挿入され、その開口部が注出キャップの底壁部に相対する位置にて該注出キャップに取付けられる請求項１乃至５のいずれかに記載の計量キャップ。
【請求項７】
前記洗浄体が、計量筒部における筒状壁の軸方向から視た状態で、該計量筒部の開口部内に配置されている請求項６に記載の計量キャップ。
【発明の詳細な説明】
【技術分野】
【０００１】
本発明は計量キャップに関する。
【背景技術】
【０００２】
従来の計量キャップとして、例えば特許文献１に記載の如く、衣類等の布地等（以下、単に布地と言う）に付着したしつこい汚れ（染み）を除去するために、布地の汚れた部分に少量の洗剤を局部的に塗布し、この洗剤が塗布された部分を部分洗いすることにより、汚れを前処理可能にするものがある。汚れを前処理された布地は、洗濯機に投入される等によって本洗いされるものになる。
【０００３】
ここで、特許文献１に記載の計量キャップは、有底筒状体の内部を計量室とし、該筒状体の天面の一部を開口部とし、該天面の他の一部に吐出堰を設け、該吐出堰に単一の吐出口を開けるとともに、該吐出堰の外面に複数の凹凸部を固定的に設けるものとしている。この計量キャップでは、容器本体に収容している洗剤を上記開口部から計量室に取り分けた後、この計量キャップを傾けて吐出堰に堰き止められる計量室内の洗剤を吐出孔から吐出させて布地の汚れた部分に塗布し、この布地上に付与された塗布膜を吐出堰の外面の凹凸部でこすることにより、汚れた布地を部分洗い可能にする。
【先行技術文献】
【特許文献】
【０００４】
【特許文献１】特表2013-536128号公報
【発明の概要】
【発明が解決しようとする課題】
【０００５】
特許文献１に記載の計量キャップでは、吐出堰の外面に固定的に設けた凹凸部によって布地上に付与された洗剤の塗布膜をこすり、汚れた布地を部分洗いするものであり、布地の種類によっては傷めることがある。
【０００６】
本発明の課題は、計量キャップにおいて、布地の汚れた部分に洗剤を塗布して部分洗いするに際し、布地を傷めにくく、少ない力で部分洗い可能にすることにある。
【課題を解決するための手段】
【０００７】
請求項１に係る発明は、筒状壁を備え、筒状壁の軸方向の一端に底壁が設けられ、筒状壁と底壁によって計量室が形成され、筒状壁の軸方向の他端に開口部が設けられた計量筒部を有してなる計量キャップであって、洗浄体が計量筒部に転動可能に設けられるようにしたものである。
【発明の効果】
【０００８】
本発明によれば、計量キャップにおいて、布地の汚れた部分に洗剤を塗布して部分洗いするに際し、少ない力で部分洗い可能であり、布地を傷めにくくすることができる。
【図面の簡単な説明】
【０００９】
【図１】図１は第１実施形態において、容器本体に注出キャップ及び計量キャップを取付けた状態を示す断面図である。
【図２】図２は図１のII−II線に沿う断面図である。
【図３】図３は注出キャップを示す斜視図である。
【図４】図４は注出キャップを示す平面図である。
【図５】図５は計量キャップを示す斜視図である。
【図６】図６は計量キャップを示す側面図である。
【図７】図７は図６のVII−VII線に沿う断面図である。
【図８】図８は洗浄体による布地の部分洗い状態を示す模式図である。
【図９】図９は計量キャップを筒状壁の軸方向から視た模式図である。
【図１０】図１０は第２実施形態の計量キャップを示す斜視図である。
【図１１】図１１は計量キャップを示す側面図である。
【図１２】図１２は洗浄体による布地の部分洗い状態を示す模式図である。
【図１３】図１３は計量キャップを筒状壁の軸方向から視た模式図である。
【図１４】図１４は第３実施形態の計量キャップを示す斜視図である。
【図１５】図１５は計量キャップを示す側面図である。
【図１６】図１６は洗浄体による布地の部分洗い状態を示す模式図である。
【図１７】図１７は計量キャップを筒状壁の軸方向から視た模式図である。
【図１８】図１８は第４実施形態の計量キャップを示す側面図である。
【図１９】図１９は洗浄体による布地の部分洗い状態を示す模式図である。
【図２０】図２０は計量キャップを筒状壁の軸方向から視た模式図である。
【発明を実施するための形態】
【００１０】
以下、本発明をその好ましい実施形態に基づいて説明する。
(第１実施形態)（図１乃至図９）
本発明の計量キャップ１００は、布地の汚れた部分に少量の洗剤を局部的に塗布し、この洗剤が塗布された部分を部分洗い可能にするものであり、液体洗剤が収容された容器本体１の口部２の側に螺着される。計量キャップ１００は、容器本体１の口部２に、直に螺着されても良いが、図１、図２に示す本実施形態の如くに注出キャップ２００を介して螺着されても良い。
【００１１】
本実施形態では、容器本体１の口部２、計量キャップ１００及び注出キャップ２００は、それらの中心軸を共通軸Ｏ上に配置して組立てられる。以下、容器本体１を正立させた状態で、この共通軸Ｏに沿う方向を上下方向とし、共通軸Ｏに沿って計量キャップ１００の側を上側、容器本体１の側を下側とする。また、共通軸Ｏに沿う方向を軸方向と称し、本明細書において単に軸方向と記す場合も同様である。尚、これらのことは、第２実施形態乃至第４実施形態においても同様とする。
【００１２】
容器本体１の口部２に計量キャップ１００を取付けるに際し、注出キャップ２００を設けることは必ずしも必要ではないが、容器本体１から計量キャップ１００への洗剤の注出を容易にする点から、容器本体１の口部２に注出キャップ２００を設けることが好ましい。
【００１３】
注出キャップ２００は、ポリプロピレン等の合成樹脂成形体からなり、計量キャップ１００の計量筒部２０が取着される周壁部２０１と、その周壁部２０１の軸方向における容器本体１の側に設けられる底壁部２０２とを有するとともに、周壁部２０１の軸方向中間部に結合されて該周壁部２０１を囲む外筒部２０３を有する。注出キャップ２００は、外筒部２０３の内周締結部２０３Ａを容器本体１の口部２に設けた外周締結部（不図示）に締結可能にするとともに、周壁部２０１の上端側の外周ねじ部２０１Ａに計量キャップ１００の外筒部１０に備えた内周ねじ部１１を螺合可能にしている。
【００１４】
ここで、注出キャップ２００は、図１乃至図４に示す如く、容器本体１の内部空間に連通して容器本体１の内容液を流通可能にする通液口２０２Ｋを底壁部２０２の面内に形成し、容器本体１の内容液を通液口２０２Ｋ及び周壁部２０１の内側領域経由で外部に注出可能にする注出口２０１Ｋを、周壁部２０１の上端開口部によって形成するものとしている。また、注出キャップ２００は、周壁部２０１の内側領域を液回収空間２０４としても用い、通液口２０２Ｋにつながる液回収口２０２Ｌを底壁部２０２に形成している。
【００１５】
計量キャップ１００を注出キャップ２００から取外した状態で、容器本体１を液注出方向に向けて傾けることにより、容器本体１の内容液を底壁部２０２に形成した通液口２０２Ｋ経由で周壁部２０１の注出口２０１Ｋから容易に注出できる。また、この注出後に液回収空間２０４に残留する液体を通液口２０２Ｋ、液回収口２０２Ｌから容器本体１内に回収可能にする。
【００１６】
計量キャップ１００は、図１乃至図８に示す如く、ポリプロピレン等の合成樹脂成形体からなり、筒状壁２１と底壁２２を備えた有底筒状の筒部を有し、容器本体１の口部２の側に螺着される。計量キャップ１００は、透明体又は半透明体の合成樹脂成形体からなることが好ましい。本実施形態の筒部は、詳細には、図１、図２に示す如く、容器本体１の口部２に設けた注出キャップ２００における周壁部２０１の外周ねじ部２０１Ａに螺合する内周ねじ部１１を備えた外筒部１０と、この外筒部１０の内側において筒状壁２１と底壁２２を備えた有底筒状の計量筒部２０とを有する。計量筒部２０は、筒状壁２１と底壁２２によって計量室Ｍを形成する。計量筒部２０は、外筒部１０よりも軸方向の上側及び下側に突出している。外筒部１０と計量筒部２０の筒状壁２１とはそれらの中心軸を同軸配置し、計量筒部２０は、筒状壁２１の軸方向の一端に底壁２２を設けてこの一端を閉塞し、筒状壁２１の軸方向の他端を開口部２３としている。尚、底壁２２は、計量キャップ１００を、容器本体１の口部２の側に螺着した状態では、計量キャップ１００の天面となる。
【００１７】
計量キャップ１００は、外筒部１０の軸方向に沿う底壁２２寄りの端部と、計量筒部２０の筒状壁２１の軸方向に沿う中間部との間を閉じる環状壁２４を有する。尚、本実施形態の計量キャップ１００は、筒状壁２１の計量室Ｍを形成している内径部において、環状壁２４に対応する中間部に段差部２５を設け、段差部２５の底壁２２寄りを大径部２１Ａとし、段差部２５の開口部２３寄りを該大径部２１Ａより小径の小径部２１Ｂとしている。
【００１８】
計量キャップ１００は、正立させた容器本体１の口部２に嵌合された注出キャップ２００の周壁部２０１が備える外周ねじ部２０１Ａに対し、計量筒部２０の底壁２２を上側に配置させた状態で、外筒部１０が備える内周ねじ部１１を着脱して使用される。
【００１９】
従って、容器本体１内の洗剤を注出するときには、計量キャップ１００の外筒部１０又は計量筒部２０の筒状壁２１を把持し、この計量キャップ１００を周方向に回して注出キャップ２００から取外すとともに、注出キャップ２００の注出筒２０１を露出させる。
【００２０】
次いで、計量キャップ１００の中心軸と注出キャップ２００の中心軸とを交差させるように配置するとともに、注出キャップ２００の外周面を計量キャップ１００の計量筒部２０における開口部２３の縁部に当接させる。この状態で、容器本体１を傾けて、注出キャップ２００の注出口２０１Ｋから注出される容器本体１内の洗剤を、計量キャップ１００における計量筒部２０の開口部２３から計量室Ｍに計量しながら注入する。そしてその後、この計量された洗剤を計量キャップ１００の計量筒部２０の開口部２３から、例えば洗濯機、洗面器等に全量を注ぎ出して衣類等の本洗いに供することを可能にする。洗剤の必要量の注ぎ出しが完了したら、上述と逆の手順で計量キャップ１００を注出キャップ２００に取付ける。
【００２１】
しかるに、計量キャップ１００は、洗濯機、洗面器等による上述の衣類等の本洗いに先立つ前処理として、それらの布地の汚れた部分に洗剤を塗布して部分洗い可能にするため、以下の構成を具備する。
【００２２】
計量キャップ１００は、図５乃至図９に示す如く、円筒状の計量筒部２０における筒状壁２１の軸方向の他端の一部を前述の開口部２３とするとともに、該他端の他の一部（本実施形態では該他端の開口部２３以外の全域）に吐出堰３０を設ける。尚、図９は、計量筒部２０における筒状壁２１の中心軸（共通軸Ｏ）を水平に傾けた状態で、計量筒部２０の開口部２３及び吐出堰３０をその軸方向から視て、吐出堰３０に開けた各吐出孔４０から吐出される洗剤の流れ状態を示した模式図である。
【００２３】
吐出堰３０は、計量筒部２０における筒状壁２１の軸方向視で、図９に示す如く、筒状壁２１の中心軸（共通軸Ｏ）を通る１つの直径方向線Ｘに関して線対称をなし、筒状壁２１の中心軸を中心とする180度よりも小さい（180度より大きくても可）中心角をなして該筒状壁２１の外周に合致する外側円弧ａと、外側円弧ａと同軸をなして該外側円弧ａよりも小半径をなす内側円弧ｂと、外側円弧ａの両端部を結んで内側円弧ｂの両端部と交わる直線上で、筒状壁２１の上記直径方向線Ｘを挟む両側のそれぞれにおいて、外側円弧ａの端部と内側円弧ｂの端部とを結んだ直線ｃ、ｃによって形成される。吐出堰３０において、内側円弧ｂの部分は、計量キャップ１００を傾けたときに、計量室Ｍに収容された洗剤が外部に向けて流通し得る円弧状の通液縁部３１になる。
【００２４】
計量キャップ１００は、計量筒部２０の計量室Ｍに収容された洗剤を外部に吐出するための複数の吐出孔４０を吐出堰３０に開けて備える。本実施形態では、計量筒部２０における筒状壁２１の軸方向視で、吐出堰３０に設けられた各吐出孔４０を、筒状壁２１の周方向に沿って長い長孔状をなすものとしている。更には、計量筒部２０における筒状壁２１の軸方向視で、筒状壁２１の周方向に沿う吐出堰３０の設置範囲の中間部Ａ（前述の直径方向線Ｘが通る部分）（図９）を挟む該吐出堰３０の両側に開けられた各吐出孔４０、４０が、上記中間部Ａに関して互いに線対称に配置される。本実施形態においては、大きな頭部４１の側から細く尖った尾部４２の側に延びて長孔状をなす２個の吐出孔４０が、それらの頭部４１を吐出堰３０の設置範囲の中間部Ａから遠くに、尾部４２をその中間部Ａの近くに配置するように、該中間部Ａに対して互いに線対称に配置されている。
【００２５】
洗剤を注入された計量キャップ１００が、計量筒部２０における筒状壁２１の中心軸を含んで上記吐出堰３０の設置範囲の中間部Ａを通る面を鉛直面に配置した状態で徐々に傾けられるとき、計量室Ｍ内の洗剤は、上記吐出堰３０の設置範囲の中間部Ａを最下位とする液面を徐々に上げていって吐出堰３０に堰き止められ、やがてこの液位が吐出堰３０の各吐出孔４０を越えると、各吐出孔４０から吐出された液膜Ｌiが図９に示す如くに垂れ落ちるものになる。吐出堰３０の各吐出孔４０から吐出されて垂れ落ちる洗剤の液膜Ｌiは、図９に示す如く、各吐出孔４０が後述する如くに布地Ｎに近づけられた状態で洗剤を吐出し、該液膜Ｌiの布地Ｎまでの垂れ落ち距離ｈが短く設定されることから、各吐出孔４０の口径ｄiと概ね同等の液幅ｗiをなして筒状壁２１の周方向に沿って相隣るように分散化される。各吐出孔４０から吐出されて相隣る洗剤の液膜Ｌiは、各吐出孔４０から吐出されるときの流れの乱れ、計量キャップ１００を把持する使用者の手の揺れ等に影響され、それらの垂れ落ち過程でそれらの液幅ｗiを変動する等によって、互いに近接もしくはオーバーラップするように協働しつつ布地Ｎ上に到達するに至る。このとき、計量キャップ１００を各液膜Ｌiにおける液幅ｗiの幅方向に交差する方向（図９の紙面に直交する方向）へ移動させれば、各吐出孔４０から吐出される各液膜Ｌiは該計量キャップ１００の当該移動方向で上述の如くに協働して布地Ｎ上に到達した結果として、該布地Ｎ上に一定幅Ｗの塗布膜Ｆを形成するものになる。
【００２６】
計量キャップ１００は、計量筒部２０における筒状壁２１の軸方向の他端寄りに洗浄体５０を転動可能に設けている。計量キャップ１００は、筒状壁２１の軸方向の他端に吐出堰３０と並んで設けた開口部２３内に、洗浄体５０を配置している。本実施形態において、洗浄体５０は、計量筒部２０における筒状壁２１の軸方向から視た状態（図９）で、該計量筒部２０の開口部２３内に配置している。洗浄体５０は、洗剤が上述の塗布膜Ｆを形成するように塗布された布地の汚れた部分に押圧されて転動しつつ、汚れた布地を部分洗い可能にする。このとき、洗浄体５０を布地に押圧する操作力の加減等により、洗浄体５０は布地の汚れた部分を、こすりながら転動し、汚れた布地をこすりながら部分洗い可能にする。
【００２７】
洗浄体５０は、球状のボール５１と、ボール５１の中心を通る回転軸ｒ（図７、図９）上で該ボール５１の相対する両側面から突設した両側の枢軸５２とを有して構成される。洗浄体５０は、両枢軸５２を筒状壁２１に設けた丸孔状軸受５４に回転自在に支持され、計量キャップ１００の側方視（図６）でボール５１の一部を筒状壁２１の軸方向の他端に位置する開口部２３の開口面レベルよりも外界に位置させている。洗浄体５０は、筒状壁２１の軸受５４に挿通された両枢軸５２の外方端に該軸受５４の孔径より大外径のつば部５２Ａを備え、筒状壁２１から脱落防止されている。
【００２８】
洗浄体５０は、本実施形態では、両側の枢軸５２を筒状壁２１の前記１つの直径方向線Ｘに直交する直径上に配置させている。但し、洗浄体５０は、両側の枢軸５２を筒状壁２１の直径上に配置されず、筒状壁２１の直径上よりも吐出堰３０に近づく側、又は吐出堰３０から遠のく側に配置されても良い。
【００２９】
計量キャップ１００は、洗浄体５０のボール５１を、開口部２３内であって、計量筒部２０に設けた吐出堰３０に備えてある円弧状の通液縁部３１に沿って配置している。本実施形態の計量キャップ１００では、ボール５１の表面に備える凹凸部５３と通液縁部３１との間に隙間Ｇ（図９）が形成されている。
【００３０】
洗浄体５０は、ボール５１の球状表面に凹凸部５３を備える。凹凸部５３は、ボール５１の中心を通る回転軸ｒの軸方向に沿って相並ぶ複数（本実施形態では７本）の凸条部５３Ａと、相隣る各凸条部５３Ａに挟まれる複数（本実施形態では６本）の凹条部５３Ｂとからなる。各凸条部５３Ａと各凹条部５３Ｂは、ボール５１の表面上で上記回転軸ｒを中心とする円環状をなし、該回転軸ｒの軸方向でボール５１の中央に位置する凸条部５３Ａの外径を最大径とし、他の凸条部５３Ａ、凹条部５３Ｂの外径を該回転軸ｒの軸方向で上記中央に位置する凸条部５３Ａから離れるに従って徐々に小径をなすものとしている。洗浄体５０の凹凸部５３が円環状をなすことにより、洗浄体５０を布地に優しく圧接させながら該洗浄体５０を容易に転動できる。
【００３１】
洗浄体５０の表面に備える凹凸部は、上述の円環状に限らず、洗浄体５０の回転軸方向に沿って複数の凸条部と複数の凹条部が延びた形状、又は多数の点状凸部を備えた形状等からなるものであっても良い。
【００３２】
尚、計量キャップ１００を容器本体１の口部２に設けた注出キャップ２００に取付ける構造は、以下の通りになされる（図１、図２）。計量キャップ１００は、計量筒部２０の開口部２３及び吐出堰３０の側から注出キャップ２００における周壁部２０１の内部に挿入され、その開口部２３及び吐出堰３０並びに洗浄体５０が注出キャップ２００の底壁部２０２に小隙間を介して相対する位置にて該注出キャップ２００に取付けられる。
【００３３】
本実施形態の計量キャップ１００は、布地等の本洗いに対する前処理段階で、それらの布地の汚れた部分に洗剤を塗布して部分洗いするとき、以下の手順で使用される。
【００３４】
(1)容器本体１の口部２に設けた注出キャップ２００から計量キャップ１００を取外す。
(2)容器本体１内の洗剤を、計量キャップ１００の計量筒部２０に設けた開口部２３経由で、その計量室Ｍへ所定量注出する。
【００３５】
(3)計量キャップ１００を傾け、計量室Ｍに収容された洗剤をその計量筒部２０に設けた吐出堰３０の各吐出孔４０から少量だけ吐出し、布地の汚れた部分に、一定幅をなす広い範囲に渡って薄く概ね均一となる厚みの塗布膜Ｆを形成する。
【００３６】
上述(3)で、計量キャップ１００の計量室Ｍに残った洗剤は、その計量筒部２０に設けた開口部２３から容器本体１に戻し、或いは洗濯機等に供される。或いは、その他の布地、布地の汚れた部分に供しても良い。
【００３７】
(4)計量キャップ１００における計量筒部２０に設けた洗浄体５０のボール５１（凹凸部５３）により、上述(3)で洗剤の塗布膜Ｆが形成された布地の汚れた部分をシンク、洗濯板等との間に押圧しつつ、該計量キャップ１００を図８に示す如くに布地Ｎの表面に立てて該布地Ｎの表面に沿って往復動（図８のＰ方向）することにより該ボール５１（凹凸部５３）を転動させ、その押圧力をときに強めて部分洗いする。このとき、計量キャップ１００は、布地Ｎの表面に対して図８に示す如くに斜めに立てても良く（斜めに立てる傾きの向きは図８と逆向きでも可）直立させても良い。
【００３８】
部分洗いを行なった布地は、洗濯機等に入れ本洗いを行なう。尚、本洗いは行なわずに、部分洗いを行なった布地を水ですすぎ、洗濯を終了しても良い。
【００３９】
本実施形態の計量キャップ１００では、上述(1)で注出キャップ２００から取外された計量キャップ１００が計量筒部２０の筒状壁２１における軸方向の他端に開口部２３及び吐出堰３０を設けている。従って、上述(1)で注出キャップ２００から取外された計量キャップ１００が、当該計量キャップ１００の筒状壁２１における上述の他端を上向きにして把持されるとき、当該他端に設けられていて洗浄体５０が配置されている開口部２３と、同じく当該他端に設けられている吐出堰３０が使用者の視覚的観察領域に配置される。
【００４０】
これにより、使用者は、上述(2)で容器本体１内の洗剤の注出先となる開口部２３及び計量室Ｍの存在、上述(3)で計量室Ｍ内に収容されている洗剤を計量キャップ１００の傾け状態下で堰き止める吐出堰３０、ひいてはその堰き止められた洗剤を吐出する各吐出孔４０の存在、上述(4)で洗剤が塗布された布地の汚れた部分を部分洗いする洗浄体５０の存在を、計量キャップ１００の外観から直ちに見分けて認識でき、上述(1)乃至(4)の手順を自然に遅滞なく行ない得るものになる。
【００４１】
また、計量キャップ１００は、吐出堰３０が筒状壁２１の中心軸を通る１つの直径方向線Ｘに関して線対称になっていることに合わせて、洗浄体５０の枢軸５２がこの１つの直径方向線Ｘに直交する直径上に配置されていることで、上述(4)における洗浄体５０の回転方向も容易に認識できる。
【００４２】
また、計量キャップ１００は、吐出堰３０が筒状壁２１の中心軸を通る１つの直径方向線Ｘに関して線対称をなすものとし、この吐出堰３０の設置範囲において上記直径方向線Ｘが通る中間部Ａの両側に各吐出孔４０を線対称配置している。これにより、使用者は、吐出堰３０の設置範囲の中間部Ａを通り、筒状壁２１の上記直径方向線Ｘに沿う方向が、各吐出孔４０からの洗剤の吐出方向であることを上述(3)で容易に認識して計量キャップ１００を把持し、該計量キャップ１００を上記吐出方向に向けて傾け操作し得るものになる。そして、筒状壁２１の中心軸を含んで上記中間部Ａを通る面を鉛直面に配置し、計量キャップ１００を傾けて各吐出孔４０から洗剤を吐出すると、該中間部Ａを挟む両側の吐出孔４０のそれぞれから鉛直に吐出されて布地に到達する洗剤が布地上に形成する各小塗布膜ｆiは、布地上でそれらの中間部Ａに関して互いに線対称をなすものになる。従って、計量キャップ１００の上記中間部Ａを布地の汚れた部分の中央部に対応させて各吐出孔４０から吐出させた洗剤の液膜Ｌiを布地上に到達させつつ、布地上に到達した洗剤の液幅ｗiの幅方向に直交する方向へ該計量キャップ１００を移動させれば、布地上の汚れた部分に対応する範囲の全域に必要幅の塗布膜Ｆを簡易かつ確実に形成できる。
【００４３】
また、計量キャップ１００は、筒状壁２１の他端の同一面に設けた吐出堰３０と開口部２３のそれぞれに、各吐出孔４０と洗浄体５０のそれぞれを互いに相並ぶように設け、各吐出孔４０から吐出される洗剤の吐出方向の反対側に洗浄体５０を配置している。これにより、使用者は、上述(3)で計量キャップ１００を傾けて各吐出孔４０から吐出される洗剤を布地の汚れた部分に塗布した後、当該計量キャップ１００を把持している手に当該計量キャップ１００を持ちかえることなくそのままの把持状態で、引き続き上述(4)の洗浄体５０を用いる部分洗いを行ない、それらの(3)及び(4)の操作の一連性を自然に確保できる。
【００４４】
本実施形態の計量キャップ１００によれば、以下の作用効果を奏する。
(a)計量キャップ１００における計量筒部２０に転動可能に設けられた洗浄体５０のボール５１は、洗剤の塗布膜Fが形成された布地の汚れた部分に押圧されて転動しつつ、汚れた布地を部分洗いする。洗浄体５０のボール５１は、布地に押圧されて転動するものであり、布地の表面を引っかいてこするおそれがない。従って、洗浄体５０のボール５１によって、布地に塗布された洗剤の膜を布地の汚れが付着した表面により均等かつ完全にこすり付けて汚れの凝集の除去を図るとともに、布地の繊維構造を適度に変形させて当該繊維構造への洗剤の浸透を図り、布地を傷めにくく確実に部分洗い可能にする。
【００４５】
(b)上述(a)において、洗浄体５０が布地に押圧されて転動しつつ汚れた布地を部分洗いするに際し、洗浄体５０は、表面の凹凸部５３を構成する凸条部５３Ａが布地の隣り合う部分の一方に強く圧接して該布地に対する確実なこすり付けを図るとともに、該凹凸部５３を構成する凹条部５３Ｂが布地の隣り合う部分の他方に弱く圧接して当該布地の繊維構造を柔らかに変形させて当該繊維構造への洗剤の浸透の確実を図る。洗浄体５０の布地に対する上述した転動操作が往復してくり返されることにより、洗浄体５０は上述した凸条部５３Ａと凹条部５３Ｂの各作用を布地の同一カ所に対し重ねて付与し、布地を傷めにくく一層確実に部分洗い可能にする。
【００４６】
(c)計量キャップ１００が計量筒部２０における筒状壁２１の軸方向の他端の一部を開口部２３とし、該他端の他の一部に吐出堰３０が設けられる。従って、計量キャップ１００を傾けたとき、計量室Ｍ内の洗剤は吐出堰３０に堰き止められる。洗剤は、吐出堰３０の存在によって、計量キャップ１００を傾けたときに一気に外部へと吐出することがなく、吐出量を調整されて吐出され、布地上に一定幅をなす範囲に薄く概ね均一となる厚みの塗布膜Ｆを形成できる。
【００４７】
(d)上述(c)の吐出堰３０が、計量室Ｍに収容された洗剤を外部に吐出するための吐出孔４０を備える。従って、上述(c)で、計量キャップ１００を傾けるとき、計量室Ｍ内の洗剤は、吐出堰３０に堰き止められ、やがてこの洗剤が吐出堰３０の吐出孔４０を越えて該吐出孔４０から吐出される。洗剤は吐出堰３０に設けられた吐出孔４０の配置、口径に応じて吐出位置、吐出量を調整され、布地上の適宜位置に、適宜幅、適宜厚みの塗布膜Ｆを形成できる。
【００４８】
(e)計量キャップ１００は、計量筒部２０が、その開口部２３の側から注出キャップ２００における周壁部２０１の内部に挿入され、その開口部２３が注出キャップ２００の底壁部２０２に相対する位置にて該注出キャップ２００に取付けられる。従って、計量キャップ１００は、注出キャップ２００の底壁部２０２の近くまで挿入され、該注出キャップ２００の軸方向に可及的にコンパクトに納まる状態で該注出キャップ２００に取付けられ、該注出キャップ２００の通液口を外部に対して封止可能にする。
【００４９】
(f)洗浄体５０が筒状壁２１の軸方向から視た状態で、該計量筒部２０の開口部２３内に配置されている。従って、前述(e)で前述(a)乃至(d)の如くに使用された計量キャップ１００を注出キャップ２００における周壁部２０１の内部に挿入して該注出キャップ２００に取付けるに際し、洗剤の付いた洗浄体５０を注出キャップ２００における周壁部２０１の内部に支障なく納めることができる。
【００５０】
(第２実施形態)（図１０乃至図１３）
第２実施形態の計量キャップ３００が、第１実施形態の計量キャップ１００と異なる点は以下の通りである。
【００５１】
i.洗浄体５０を洗浄体６０に変更した。洗浄体６０は、紡錘状のボール６１と、ボール６１の中心を通る回転軸ｒ（図１３）上で該ボール６１の相対する両側面から突設した両側の枢軸６２とを有して構成される。洗浄体６０は、洗浄体５０におけると同様に、ボール６１の表面に凹凸部６３（凹凸部６３は凸条部６３Ａと凹条部６３Ｂとからなる）を備える。洗浄体６０は、両枢軸６２を筒状壁２１に設けたＬ字条軸受孔６４に回転自在に支持し、計量キャップ３００の側方視（図１１）でボール６１の一部を筒状壁２１の軸方向の他端に位置する開口部２３の開口面レベルよりも外界に位置させている。
【００５２】
洗浄体６０のボール６１を球状でなく、紡錘状とした計量キャップ３００によれば、ボール６１を回転軸ｒに沿って長細状とすることで、部分洗いに関与するボール６１の表面積を確保しながら該ボール６１を小径化し、開口部２３内における洗浄体６０の占有面積を可及的に小さくできる。これを換言すれば、洗浄体６０に占有されずに容器本体１から注出される洗剤を受け入れるための開口部２３の有効面積を可及的に大きくとれることを意味する。
【００５３】
ii.洗浄体６０のＬ字状軸受孔６４は、Ｌ字の一端側を筒状壁２１の他端縁にて外方に開いた開口６４Ａとし、該開口６４Ａに連なるＬ字の他端側を軸受６４Ｂとしている。これにより、洗浄体６０の枢軸６２は、開口６４Ａ経由で軸受６４Ｂに着脱可能にされる。
【００５４】
洗浄体６０の枢軸６２は、Ｌ字状軸受孔６４における軸受６４Ｂの開口６４Ａ寄りに設けられている狭幅部６４Ｃ（図１０）を弾性的に拡開して軸受６４Ｂに取外し可能に着脱されるとともに、該枢軸６２の外方端に備えてあるつば部６２Ａを軸受６４Ｂの孔径より大外径として、筒状壁２１から脱落防止されている。
【００５５】
洗浄体６０を筒状壁２１に設けた軸受６４Ｂに上述の如くに着脱可能にして取外しできる計量キャップ３００によれば、洗浄体６０を筒状壁２１から取外した状態で洗浄することができるし、当該計量キャップ３００を布地の部分洗い用として用いることなく、当該計量キャップ３００を計量用のみに利用するときの使い勝手を向上できる。
【００５６】
iii.洗浄体６０のボール６１は、計量筒部２０に設けた吐出堰３０の周縁（内側円弧ｂ）に備えてある円弧状の通液縁部３１に沿って配置されている。ボール６１の表面に備える凹凸部６３と通液縁部３１との間には隙間Ｇ（図１２）が設けられる。
【００５７】
これにより、計量キャップ３００にあっては、計量キャップ１００におけると同様にして布地を部分洗いできる。即ち、計量キャップ３００を傾け、計量室Ｍに収容された洗剤をその計量筒部２０に設けた吐出堰３０の各吐出孔４０から少量だけ吐出し、布地の汚れた部分に、一定幅をなす広い範囲に渡って薄く概ね均一となる厚みの塗布膜Ｆを形成する。そして、計量キャップ３００における計量筒部２０に設けた洗浄体６０のボール６１（凹凸部６３）により、洗剤の塗布膜Ｆが上述の如くに形成された布地の汚れた部分をシンク、洗濯板等との間に押圧しつつ、該計量キャップ３００を図１２に示す如くに布地Ｎの表面に立てて該布地Ｎの表面に沿って往復動（図１２のＰ方向）することにより該ボール６１（凹凸部６３）を転動させ、その押圧力をときに強めて部分洗いする。
【００５８】
第２実施形態の計量キャップ３００によれば、上述i乃至iiiの他、第１実施形態の前述した(a)乃至(f)等と同様の作用効果を奏する。
【００５９】
(第３実施形態)（図１４乃至図１７）
第３実施形態の計量キャップ４００が、第２実施形態の計量キャップ３００と異なる点は以下の通りである。
【００６０】
i.洗浄体６０を洗浄体７０に変更した。洗浄体７０は、計量筒部２０における筒状壁２１の他端寄りに転動可能に設けられる。洗浄体７０は、洗浄体６０と同様の紡錘状のボール７１と、ボール７１の中心を通る回転軸ｒ（図１７）上で該ボール７１の相対する両側面から突設した両側の枢軸７２とを有して構成される。洗浄体７０は、洗浄体６０におけると同様に、ボール７１の表面に凹凸部７３（凹凸部７３は凸条部７３Ａと凹条部７３Ｂとからなる）を備える。
【００６１】
尚、洗浄体７０は、両枢軸７２を筒状壁２１に設けた丸孔状軸受７４に回転自在に支持される。計量キャップ４００の側方視（図１５）でボール７１の一部を筒状壁２１の軸方向の他端に位置する開口部２３の開口面レベルよりも外界に位置させている。
【００６２】
ii.計量キャップ４００は、計量筒部２０における筒状壁２１の軸方向の他端の全部を開口部２３とした。従って、計量キャップ４００は、計量キャップ３００における吐出堰３０及び吐出孔４０を備えていない。
【００６３】
計量キャップ４００は、計量筒部２０における筒状壁２１の軸方向の他端縁につながる側面を円弧状に切欠いた形状となる外縁を有し、この円弧状の外縁を、計量キャップ４００を傾けたときに計量室Ｍに収容されている洗剤が外部に向けて流通し得る円弧状の通液縁部２６とした。
【００６４】
尚、洗浄体７０は、両側の枢軸７２が筒状壁２１の直径上に配置されても良く、或いはその直径上に配置されなくても良い。
【００６５】
このとき、洗浄体７０は、筒状壁２１の外縁に形成した通液縁部２６に沿って配置され、ボール７１と通液縁部２６との間に洗剤の粘度等に応じて調整された一定の隙間Ｇ（図１６）が設けられる。この隙間Ｇは、計量キャップ４００を傾けたときに洗浄体７０によって堰き止められる計量室Ｍ内の洗剤が通液縁部２６を通過しようとするときに、この洗剤が粘度等に応じて該洗剤に一定の流れ抵抗を及ぼし、該洗剤を外部に向けて流通可能にする。そして、洗浄体７０は、計量キャップ４００の軸方向視（図１７）でボール７１の大部分を筒状壁２１の開口部２３内に配置するとともに、計量キャップ４００の側方視（図１５）で筒状壁２１の輪郭外に位置することとなるボール７１の外界露出部７１Ａを筒状壁２１における開口部２３の開口面レベルよりも上方に位置させ、かつ筒状壁２１の壁面よりも前方に位置させる。洗浄体７０は、ボール７１の上述の外界露出部７１Ａを布地に押圧されて該布地の部分洗いに供するものとする。
【００６６】
従って、計量キャップ４００を図１６に示す如くに傾けて計量室Ｍ内における洗剤の液位Ｋを通液縁部２６よりも高めると、この洗剤は洗浄体７０の計量室Ｍに面しているボール７１の表面に付着し、このボール７１に付着した洗剤は当該ボール７１が布地に押圧されて転動するとともに上記通液縁部２６の隙間Ｇをすり抜けて該ボール７１に付着したまま外部へと持ち出され、ひいてはボール７１によって当該布地に転写される如くに塗布され、当該ボール７１による布地の部分洗いに供される。
【００６７】
計量キャップ４００による布地の部分洗い手順は以下の通りになる。
(1)容器本体１の口部２に設けた注出キャップ２００から計量キャップ４００を取外す。
(2)容器本体１内の洗剤を、計量キャップ４００の計量筒部２０に設けた開口部２３経由で、その計量室Ｍへ所定量注出する。
【００６８】
(3)計量キャップ４００を傾け、計量筒部２０に設けた洗浄体７０のボール７１（凹凸部７３）により、布地の汚れた部分を洗濯板等との間に押圧しつつ、該計量キャップ４００を図１６に示す如くに布地Ｎの表面に沿って往復動（図１６のＰ方向）することにより該ボール７１（凹凸部７３）を転動させる。
【００６９】
これにより、計量室Ｍに収容されている洗剤は、洗浄体７０のボール７１に付着したまま通液縁部２６の隙間Ｇを経て外部へ持ち出されて布地に塗布される。このとき、洗浄体７０のボール７１は布地に対する押圧力をときに強められて布地を部分洗いする。
【００７０】
上述(3)で、計量キャップ４００の計量室Ｍに残った洗剤は、その計量筒部２０に設けた開口部２３から容器本体１に戻し、或いは洗濯機等に供される。
【００７１】
第３実施形態の計量キャップ４００によれば、上述i、iiの他、第１実施形態の前述した(c)、(e)乃至(f)等と同様の作用効果を奏する。
【００７２】
(第４実施形態)（図１８乃至図２０）
第４実施形態の計量キャップ５００が、第１実施形態の計量キャップ１００と異なる点は以下の通りである。
【００７３】
i.計量筒部２０における筒状壁２１の軸方向の他端に設けた吐出堰３０を、図２０に示す如く、筒状壁２１の中心軸（共通軸Ｏ）を通る１つの直径方向線Ｘに関して線対称をなし、筒状壁２１の中心軸を中心とする180度よりも小さい（180度より大きくても可）中心角をなして該筒状壁２１の外周に合致する外側円弧ａと、外側円弧aの両端部を結んだ直線ｍによって形成した。
【００７４】
ここで、計量キャップ５００の吐出堰３０は、計量キャップ１００における吐出堰３０が備えていた吐出孔４０を備えない。
【００７５】
ii.吐出堰３０は、外側円弧ａと直線ｍによって囲まれる輪郭の内部を切開し、この切開部の周縁を通液縁部３２として備える。通液縁部３２は、筒状壁２１の上記直径方向線Ｘ上に中心をおく円形孔状をなし、計量キャップ５００を傾けたときに計量室Ｍに収容されている洗剤を外部に向けて流通可能にする。
【００７６】
計量キャップ５００では、計量筒部２０に設けた吐出堰３０に形成した上述の通液縁部３２内に洗浄体８０が配置される。即ち、吐出堰３０に形成した通液縁部３２の内周に設けた球面軸受３３に洗浄体８０を転動自在に支持し、結果として洗浄体８０をその通液縁部３２に沿って配置するものとしている。洗浄体８０は、計量キャップ５００の側方視（図１８）で、該洗浄体８０の一部（後述するボール８１の一部）を筒状壁２１の軸方向の他端に位置する開口部２３の開口面レベルよりも外方に位置させている。
【００７７】
洗浄体８０は、球状のボール８１からなり、ボール８１の表面に凹凸部８２を備える。凹凸部８２は、ボール８１の中心uを通る１つの中心軸ｓ（図１９）の軸方向に沿って相並ぶ複数の凸条部８２Ａと、相隣る各凸条部８２Ａに挟まれる複数の凹条部８２Ｂとからなる。各凸条部８２Ａと各凹条部８２Ｂは、ボール８１の表面上で上記中心軸ｓを中心とする円環状をなし、該中心軸ｓの軸方向でボール８１の中央に位置する凸条部８２Ａの外径を最大径とし、他の凸条部８２Ａ、凹条部８２Ｂの外径を該中心軸ｓの軸方向で上記中央に位置する凸条部８２Ａから離れるに従って徐々に小径をなすものとしている。
【００７８】
洗浄体８０のボール８１は、計量筒部２０に設けた吐出堰３０に備えてある円形孔状の通液縁部３２に沿って上述の如くに配置され、ボール８１と通液縁部３２との間には洗剤の粘度等に応じて調整された一定の隙間Ｇ（図１９）が設けられる。この隙間Ｇは、計量キャップ５００を傾けたときに吐出堰３０によって堰き止められる計量室Ｍ内の洗剤が通液縁部３２を通過しようとするときに、この洗剤の粘度等に応じて該洗剤に一定の流れ抵抗を及ぼし、該洗剤を外部に向けて流通可能にする。
【００７９】
従って、計量キャップ５００を図１９に示す如くに傾けて計量室Ｍ内における洗剤の液位Ｋを通液縁部３２よりも高めると、この洗剤は洗浄体８０の計量室Ｍに面しているボール８１の表面に付着し、このボール８１に付着した洗剤は当該ボール８１が布地に押圧されて転動するとともに上記通液縁部３２の隙間Ｇをすり抜けてボール８１に付着したまま外部へと持ち出され、ひいてはボール８１によって当該布地に転写される如くに塗布され、当該ボール８１による布地の部分洗いに供される。
【００８０】
このとき、洗浄体８０のボール８１は、吐出堰３０に設けた球面軸受３３に支持されているから、ボール８１の中心点まわりのあらゆる方向に自在に転動でき、布地に対して一方向に転がるだけでなく、円を描く等の任意の方向に転がして転動できる。
【００８１】
計量キャップ５００による布地の部分洗い手順は以下の通りになる。
(1)容器本体１の口部２に設けた注出キャップ２００から計量キャップ５００を取外す。
(2)容器本体１内の洗剤を、計量キャップ５００の計量筒部２０に設けた開口部２３経由で、その計量室Ｍへ所定量注出する。
【００８２】
(3)計量キャップ５００を傾け、計量筒部２０に設けた洗浄体８０のボール８１（凹凸部８３）により、布地の汚れた部分を洗濯板等との間に押圧しつつ、該計量キャップ４００を図１９に示す如くに布地Ｎの表面に沿って往復動（図１９のＰ方向）することにより該ボール８１（凹凸部８３）を転動させる。
【００８３】
これにより、計量室Ｍに収容されている洗剤は、洗浄体８０のボール８１に付着したまま通液縁部３２の隙間Ｇを経て外部へ持ち出されて布地に塗布される。このとき、洗浄体８０のボール８１は布地に対する押圧力をときに強められて布地を部分洗いする。
【００８４】
上述(3)で、計量キャップ５００の計量室Ｍに残った洗剤は、その計量筒部２０に設けた開口部２３から容器本体１に戻し、或いは洗濯機等に供される。或いは、その他の布地、布地の汚れた部分に供しても良い。
【００８５】
第４実施形態の計量キャップ５００によれば、上述i、iiの他、第１実施形態の前述した(c)乃至(f)等と同様の作用効果を奏する。
【００８６】
本発明において、洗浄体が計量筒部に備えた通液縁部に沿って配置されるとき、この通液縁部は開口部の周縁の一部にて形成されても良いし、開口部の他に形成されても良い。即ち、通液縁部としては、開口部の周縁の一部でもある吐出堰の周縁（第１実施形態の計量キャップ１００、第２実施形態の計量キャップ３００）、開口部に隣接して切欠かれた筒状壁の外縁（第３実施形態の計量キャップ４００）、吐出堰の堰内に切開して形成した切開部の周縁（第４実施形態の計量キャップ５００）に形成され、或いは筒状壁の壁内に設けた切開部の周縁等に形成できる。
【００８７】
また、本発明の計量キャップにおいて、計量室Ｍ内の洗剤は、通液縁部２６、３１、３２又は吐出孔４０から流出して布地に供されるものに限らず、それらの通液縁部２６、３１、３２、吐出孔４０が設けられていない開口部２３から流出して布地に供されるものでも良い。
【００８８】
また、本発明の計量キャップにおいて、計量キャップ１００等が取着される注出キャップ２００は、底壁部２０２から立上げられて周壁部２０１の内部に延在される注出筒を有するものでも良い。この注出キャップ２００に計量キャップ１００等が取着されるとき、注出キャップ２００の注出筒は計量キャップ１００等の計量筒部２０における開口部２３において吐出堰３０、洗浄体５０等に占められることのない領域に納まるものとされる。
【００８９】
本発明の計量キャップにおいて、洗浄体は、計量筒部の筒状壁の壁外面（外周面）又は底壁の壁外面（天面）等、計量筒部の外側領域に配置されるものでも良い。
【産業上の利用可能性】
【００９０】
本発明によれば、計量キャップにおいて、布地の汚れた部分に洗剤を塗布して部分洗いするに際し、布地を傷めにくく部分洗いできる。
【符号の説明】
【００９１】
１  容器本体
２  口部
２０  計量筒部
２１  筒状壁
２２  底壁
２３  開口部
２６、３１、３２  通液縁部
３０  吐出堰
４０  吐出孔
５０、６０、７０、８０  洗浄体
５３、６３、７３、８２  凹凸部
１００、３００、４００、５００  計量キャップ
２００  注出キャップ
２０１  周壁部
２０２  底壁部
２０２Ｋ  通液口
Ｍ  計量室
【図１】
2018020792.tif 000003
【図２】
2018020792.tif 000004
【図３】
2018020792.tif 000005
【図４】
2018020792.tif 000006
【図５】
2018020792.tif 000007
【図６】
2018020792.tif 000008
【図７】
2018020792.tif 000009
【図８】
2018020792.tif 000010
【図９】
2018020792.tif 000011
【図１０】
2018020792.tif 000012
【図１１】
2018020792.tif 000013
【図１２】
2018020792.tif 000014
【図１３】
2018020792.tif 000015
【図１４】
2018020792.tif 000016
【図１５】
2018020792.tif 000017
【図１６】
2018020792.tif 000018
【図１７】
2018020792.tif 000019
【図１８】
2018020792.tif 000020
【図１９】
2018020792.tif 000021
【図２０】
2018020792.tif 000022